【手続補正書】
【提出日】平成17年10月6日(2005.10.6)
【手続補正１】
【補正対象書類名】明細書
【補正対象項目名】特許請求の範囲
【補正方法】変更
【補正の内容】
【特許請求の範囲】
【請求項１】  支持体上に少なくとも一層のハロゲン化銀乳剤層を有するハロゲン化銀写真感光材料において、該ハロゲン化銀乳剤層中に含まれるハロゲン化銀乳剤は塩化銀を90モル％以上含むハロゲン化銀粒子からなり、さらに該ハロゲン化銀乳剤中にＨ2Ｏを配位子として有するイリジウム錯体を含有することを特徴とするハロゲン化銀写真感光材料。
【請求項２】  該イリジウム錯体が、下記一般式Ｉで表されることを特徴とする請求項１に記載のハロゲン化銀写真感光材料。
一般式Ｉ
【化１】
2001356441.tif 000001
式中のＭは任意のイリジウムまたはイリジウムイオンを表す。Ｘはハロゲンを表す。また、ｌは−５から０、ｍは１から５、ｎは１から５の範囲から選ばれる整数である。
【請求項３】  一般式ＩでＭがイリジウムイオンであることを特徴とする請求項２に記載のハロゲン化銀写真感光材料。
【請求項４】  該ハロゲン化銀乳剤が0.1モル％以上、10モル％以下の臭化銀を含有するハロゲン化銀粒子からなることを特徴とする請求項１〜３のいずれかに記載のハロゲン化銀写真感光材料。
【請求項５】  該ハロゲン化銀乳剤が0.02モル％以上、3モル％以下の沃化銀を含有するハロゲン化銀粒子からなることを特徴とする請求項１〜３のいずれかに記載のハロゲン化銀写真感光材料。
【請求項６】  該ハロゲン化銀乳剤中に、更に下記一般式ＩＩで表される金属錯体を含有することを特徴とする請求項１〜５のいずれかに記載のハロゲン化銀写真感光材料。
一般式ＩＩ
【化２】
2001356441.tif 000002
式中のｓは２または３である。
【請求項７】  Ｏ2-を配位子として有するイリジウム錯体を含有することを特徴とするハロゲン化銀乳剤。
【請求項８】  該イリジウム錯体が、下記一般式ＩＩＩで表されることを特徴とする請求項７に記載のハロゲン化銀写真乳剤。
一般式ＩＩＩ
【化３】
2001356441.tif 000003
式中のＭは任意のイリジウムまたはイリジウムイオンを表す。Ｘはハロゲンを表す。ま
た、ｐは−１０から−１、ｑは１から５、ｒは１から５の範囲から選ばれる整数である。
【請求項９】  該ハロゲン化銀乳剤が、0.1モル％以上、10モル％以下の臭化銀を含有するハロゲン化銀粒子からなることを特徴とする請求項７または８に記載のハロゲン化銀写真乳剤。
【請求項１０】  該ハロゲン化銀乳剤が、0.02モル％以上、3モル％以下の沃化銀を含有するハロゲン化銀粒子からなることを特徴とする請求項７または８に記載のハロゲン化銀写真乳剤。
【請求項１１】  該ハロゲン化銀乳剤中に、更に請求項６記載の一般式ＩＩで表される金属錯体を含有することを特徴とする請求項７〜１０のいずれかに記載のハロゲン化銀写真乳剤。
【請求項１２】  一般式ＩＩＩにおいてＭがイリジウムである金属錯体をハロゲン化銀乳剤中に含有する請求項８〜１１のいずれかに記載されるハロゲン化銀写真乳剤。
【手続補正２】
【補正対象書類名】明細書
【補正対象項目名】００１０
【補正方法】変更
【補正の内容】
【００１０】
（１）支持体上に少なくとも一層のハロゲン化銀乳剤層を有するハロゲン化銀写真感光材料において、該ハロゲン化銀乳剤層中に含まれるハロゲン化銀乳剤は塩化銀を90モル％以上含むハロゲン化銀粒子からなり、さらに該ハロゲン化銀乳剤中にＨ2Ｏを配位子として有するイリジウム錯体を含有することを特徴とするハロゲン化銀写真感光材料。
【手続補正３】
【補正対象書類名】明細書
【補正対象項目名】００１１
【補正方法】変更
【補正の内容】
【００１１】
（２）該イリジウム錯体が、下記一般式Ｉで表されることを特徴とする前項（１）に記載のハロゲン化銀写真感光材料。
一般式Ｉ
【化４】
2001356441.tif 000004
式中のＭは任意のイリジウムまたはイリジウムイオンを表す。Ｘはハロゲンを表す。また、ｌは−５から０、ｍは１から５、ｎは１から５の範囲から選ばれる整数である。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】変更
【補正の内容】
【００１３】
（３）一般式ＩでＭがイリジウムイオンであることを特徴とする前項（２）に記載のハロゲン化銀写真感光材料。
【手続補正６】
【補正対象書類名】明細書
【補正対象項目名】００１４
【補正方法】変更
【補正の内容】
【００１４】
（４）該ハロゲン化銀乳剤が0.1モル％以上、10モル％以下の臭化銀を含有するハロゲン化銀粒子からなることを特徴とする前項（１）〜（３）のいずれかに記載のハロゲン化銀写真感光材料。
【手続補正７】
【補正対象書類名】明細書
【補正対象項目名】００１５
【補正方法】変更
【補正の内容】
【００１５】
（５）該ハロゲン化銀乳剤が0.02モル%以上、3モル%以下の沃化銀を含有するハロゲン化銀粒子からなることを特徴とする前項（１）〜（３）のいずれかに記載のハロゲン化銀写真感光材料。
【手続補正８】
【補正対象書類名】明細書
【補正対象項目名】００１６
【補正方法】変更
【補正の内容】
【００１６】
（６）該ハロゲン化銀乳剤中に、更に下記一般式ＩＩで表される金属錯体を含有することを特徴とする前項（１）〜（５）のいずれかに記載のハロゲン化銀写真感光材料。
一般式ＩＩ
【化５】
2001356441.tif 000005
式中のｓは２または３である。
【手続補正９】
【補正対象書類名】明細書
【補正対象項目名】００１７
【補正方法】変更
【補正の内容】
【００１７】
（７）Ｏ2-を配位子として有するイリジウム錯体を含有することを特徴とするハロゲン化銀写真乳剤。
【手続補正１０】
【補正対象書類名】明細書
【補正対象項目名】００１８
【補正方法】変更
【補正の内容】
【００１８】
（８）該イリジウム錯体が、下記一般式ＩＩＩで表されることを特徴とする前項（７）に記載のハロゲン化銀写真乳剤。
一般式ＩＩＩ
【化６】
2001356441.tif 000006
式中のＭは任意のイリジウムまたはイリジウムイオンを表す。Ｘはハロゲンを表す。また、ｐは−１０から−１、ｑは１から５、ｒは１から５の範囲から選ばれる整数である。
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】変更
【補正の内容】
【００２０】
（９）該ハロゲン化銀乳剤が、0.1モル％以上、10モル％以下の臭化銀を含有するハロゲン化銀粒子からなることを特徴とする前項（７）または（８）に記載のハロゲン化銀写真乳剤。
【手続補正１３】
【補正対象書類名】明細書
【補正対象項目名】００２１
【補正方法】変更
【補正の内容】
【００２１】
（１０）該ハロゲン化銀乳剤が、0.02モル％以上、3モル％以下の沃化銀を含有するハロゲン化銀粒子からなることを特徴とする前項（７）または（８）に記載のハロゲン化銀写真乳剤。
【手続補正１４】
【補正対象書類名】明細書
【補正対象項目名】００２２
【補正方法】変更
【補正の内容】
【００２２】
（１１）該ハロゲン化銀乳剤中に、更に前項（６）記載の一般式ＩＩで表される金属錯体を含有することを特徴とする前項（７）から（１０）のいずれかに記載のハロゲン化銀写真乳剤。
【手続補正１５】
【補正対象書類名】明細書
【補正対象項目名】００２３
【補正方法】変更
【補正の内容】
【００２３】
（１２）一般式ＩＩＩにおいてＭがイリジウムまたはロジウムである金属錯体をハロゲン化銀乳剤中に含有する前項（８）〜（１１）のいずれかに記載されるハロゲン化銀写真乳剤。
【手続補正１６】
【補正対象書類名】明細書
【補正対象項目名】００２７
【補正方法】変更
【補正の内容】
【００２７】
本発明の金属錯体の中心金属としては、J. Phys.: Condens.Matter 9 (1997) 3227-3240 をはじめとする多くの文献や特許に記載される様に、６配位八面体錯体がドーパントとしてハロゲン化銀粒子に組み込まれる時には、ハロゲン化銀粒子中の[AgX6]5- (X- = ハロゲンイオン) を一つのユニットとして粒子の一部とドーパントが置き換わると考えると、金属周りの配位構造が４配位構造をとるもの、または、６配位構造をとるものが好ましい。より好ましくは、金属または金属イオンが不対電子を持たないもの、もしくは、金属のd軌道が配位子場分裂を起こした時に安定化した軌道に全て電子が満たされているものが好ましい。具体的には、イリジウム、イリジウムイオンである。